(57)【要約】      （修正有）【課題】溶接ヒュームの回収率が低下せず、効率的に溶接ヒュームを回収する方法を提供する。【解決手段】塩化ビニルパイプ３から吸引することによって、溶接装置から発生した溶接ヒューム５をシリコンホース６を経由して、アクリル樹脂製容器内４に取り込み、所定量の溶接ヒューム吸着用粉末材２をポリエチレンロート１から溶接ヒューム５が充填しているアクリル樹脂製容器内４に添加し、溶接ヒューム吸着用粉末材２に溶接ヒューム５を吸着させ、溶接ヒュームの回収を行う。【選択図】図１
2008302411.tif 000002
【特許請求の範囲】
【請求項１】
溶接ヒューム回収方法において、溶接装置から発生した溶接ヒュームを吸引し、容器内に取り込み、溶接ヒューム吸着用粉末材を溶接ヒュームが充填している容器内に添加し、溶接ヒューム吸着用粉末材に溶接ヒュームを吸着させ、溶接ヒュームを回収分離する方法。
【請求項２】
溶接ヒューム回収方法において、溶接装置から発生した溶接ヒュームを吸引し、容器内に取り込み、溶接ヒューム吸着用粉末材をノズル内部に接触させながら、溶接ヒューム吸着用粉末材を溶接ヒュームが充填している容器内に添加し、溶接ヒューム吸着用粉末材に溶接ヒュームを吸着させ、溶接ヒュームを回収分離する方法。
【請求項３】
溶接ヒューム回収方法において、溶接装置から発生した溶接ヒュームを吸引し、容器内に取り込み、発砲スチロール粉末をガラスパイプノズル内部に接触させながら、発砲スチロール粉末を溶接ヒュームが充填している容器内に添加し、発砲スチロール粉末に溶接ヒュームを吸着させ、溶接ヒュームを回収分離する方法。
【請求項４】
溶接ヒューム回収方法において、溶接装置から発生した溶接ヒュームを吸引し、容器内に取り込み、ナイロン粉末をガラスパイプノズル内部に接触させながら、ナイロン粉末を溶接ヒュームが充填している容器内に添加し、ナイロン粉末に溶接ヒュームを吸着させ、溶接ヒュームを回収分離する方法。
【請求項５】
溶接ヒューム回収方法において、溶接装置から発生した溶接ヒュームを吸引し、容器内に取り込み、コーヒー粉末をガラスパイプノズル内部に接触させながら、コーヒー粉末を溶接ヒュームが充填している容器内に添加し、コーヒー粉末に溶接ヒュームを吸着させ、溶接ヒュームを回収分離する方法。
【請求項６】
溶接ヒューム回収方法において、溶接装置から発生した溶接ヒュームを吸引し、容器内に取り込み、木粉をガラスパイプノズル内部に接触させながら、木粉を溶接ヒュームが充填している容器内に添加し、木粉に溶接ヒュームを吸着させ、溶接ヒュームを回収分離する方法。
【請求項７】
溶接ヒューム回収方法において、溶接装置から発生した溶接ヒュームを吸引し、容器内に取り込み、発砲スチロール粉末を塩化ビニルパイプノズル内部に接触させながら、発砲スチロール粉末を溶接ヒュームが充填している容器内に添加し、発砲スチロール粉末に溶接ヒュームを吸着させ、溶接ヒュームを回収分離する方法。
【請求項８】
溶接ヒューム回収方法において、溶接装置から発生した溶接ヒュームを吸引し、容器内に取り込み、ナイロン粉末を塩化ビニルパイプノズル内部に接触させながら、ナイロン粉末を溶接ヒュームが充填している容器内に添加し、ナイロン粉末に溶接ヒュームを吸着させ、溶接ヒュームを回収分離する方法。
【請求項９】
溶接ヒューム回収方法において、溶接装置から発生した溶接ヒュームを吸引し、容器内に取り込み、コーヒー粉末を塩化ビニルパイプノズル内部に接触させながら、コーヒー粉末を溶接ヒュームが充填している容器内に添加し、コーヒー粉末に溶接ヒュームを吸着させ、溶接ヒュームを回収分離する方法。
【請求項１０】
溶接ヒューム回収方法において、溶接装置から発生した溶接ヒュームを吸引し、容器内に取り込み、木粉を塩化ビニルパイプノズル内部に接触させながら、木粉を溶接ヒュームが充填している容器内に添加し、木粉に溶接ヒュームを吸着させ、溶接ヒュームを回収分離する方法。
【請求項１１】
溶接ヒューム回収方法において、溶接装置から発生した溶接ヒュームを吸引し、容器内に取り込み、発砲スチロール粉末をナイロンパイプノズル内部に接触させながら、発砲スチロール粉末を溶接ヒュームが充填している容器内に添加し、発砲スチロール粉末に溶接ヒュームを吸着させ、溶接ヒュームを回収分離する方法。
【請求項１２】
溶接ヒューム回収方法において、溶接装置から発生した溶接ヒュームを吸引し、容器内に取り込み、コーヒー粉末をナイロンパイプノズル内部に接触させながら、コーヒー粉末を溶接ヒュームが充填している容器内に添加し、コーヒー粉末に溶接ヒュームを吸着させ、溶接ヒュームを回収分離する方法。
【請求項１３】
溶接ヒューム回収方法において、溶接装置から発生した溶接ヒュームを吸引し、容器内に取り込み、木粉をナイロンパイプノズル内部に接触させながら、木粉を溶接ヒュームが充填している容器内に添加し、木粉に溶接ヒュームを吸着させ、溶接ヒュームを回収分離する方法。
【請求項１４】
溶接ヒューム回収方法において、溶接装置から発生した溶接ヒュームを吸引し、容器内に取り込み、発砲スチロール粉末をアクリル樹脂パイプノズル内部に接触させながら、発砲スチロール粉末を溶接ヒュームが充填している容器内に添加し、発砲スチロール粉末に溶接ヒュームを吸着させ、溶接ヒュームを回収分離する方法。
【請求項１５】
溶接ヒューム回収方法において、溶接装置から発生した溶接ヒュームを吸引し、容器内に取り込み、ナイロン粉末をアクリル樹脂パイプノズル内部に接触させながら、ナイロン粉末を溶接ヒュームが充填している容器内に添加し、ナイロン粉末に溶接ヒュームを吸着させ、溶接ヒュームを回収分離する方法。
【請求項１６】
溶接ヒューム回収方法において、溶接装置から発生した溶接ヒュームを吸引し、容器内に取り込み、コーヒー粉末をアクリル樹脂パイプノズル内部に接触させながら、コーヒー粉末を溶接ヒュームが充填している容器内に添加し、コーヒー粉末に溶接ヒュームを吸着させ、溶接ヒュームを回収分離する方法。
【請求項１７】
溶接ヒューム回収方法において、溶接装置から発生した溶接ヒュームを吸引し、容器内に取り込み、木粉をアクリル樹脂パイプノズル内部に接触させながら、木粉を溶接ヒュームが充填している容器内に添加し、木粉に溶接ヒュームを吸着させ、溶接ヒュームを回収分離する方法。
【発明の詳細な説明】
【技術分野】
【０００１】
溶接ヒュームは、溶接材料（溶接棒、溶接ワイヤ）に含まれている有機材料の燃焼物や、金属が蒸発、酸化した微細な粉塵で、煙状であるので、溶接作業者に有害であることが指摘されている。溶接ヒュームの回収技術は極めて重要な技術分野である。
【０００２】
この発明は、溶接ヒュームの回収技術に係り、溶接ヒュームの回収方法としては、主にフィルタ式、電気集塵式、湿式があるが、溶接作業環境では、溶接ヒュームが一度に多量の溶接ヒュームを発生するため、効率的に溶接ヒュームを回収できない等の様々な問題がある。
【０００３】
そこで、短時間で溶接ヒュームの回収率、作業効率が低下しない等の溶接ヒューム回収方法に関するものである。
【背景技術】
【０００４】
溶接ヒュームの回収方法は、主に電気集塵式、フィルタ式、湿式で溶接ヒュームの回収を行っている。
【特許文献１】特開２００２−２１０５６１  溶接ヒューム回収装置
【特許文献２】特開２０００−２５４４２８  溶接ヒューム回収装置
【特許文献３】特開２００１−０６２５８９  溶接作業台装置
【特許文献４】特開２０００−１５７８２１  溶接ヒューム捕集用湿式集塵機
【非特許文献５】「溶接ヒュームの手引」株式会社  進和商會
【発明の開示】
【発明が解決しようとする課題】
【０００５】
溶接ヒューム回収装置は、主にフィルタ式、電気集塵式、湿式があり、一度に多量の溶接ヒュームを回収するため、装置の大型化、据え置き型が多く、溶接ヒューム回収装置における移動性等に問題がある。
【０００６】
フィルタ式のヒューム吸引装置は短時間でフィルタが目詰まりし、溶接ヒューム回収率の低下とともに、溶接作業を中断してフィルタの清掃や交換等を行うため、作業効率が悪く、コスト高である。
【０００７】
電気集塵式は多量に発生した溶接ヒュームにより、電極が絶縁状態になり、回収率が低下するため、短時間周期で溶接作業中断電極清掃を繰り返すことになる。そのため、作業効率が悪く、コスト高である。
【０００８】
湿式は、溶接ヒュームを溶液に回収するため、溶接ヒュームを回収した溶液において、多くの汚染物質を含有する排液処理、排理液の管理等の問題があるため、作業効率が悪く、コスト高である。
【０００９】
この発明は、上記のような課題に鑑み、その課題を解決すべく創案されたものであって、その目的とするところは、溶接ヒュームが発生する溶接作業において、短時間で溶接ヒュームの回収率、作業効率が低下せず、湿式を使用しない方法で、効率的に溶接ヒュームを回収方法を提供することにある。
【課題を解決するための手段】
【００１０】
以上の目的を達成するために、溶接ヒューム回収方法において、溶接装置から発生した溶接ヒュームを吸引し、容器内に取り込み、溶接ヒューム吸着用粉末材を溶接ヒュームが充填している容器内に添加し、溶接ヒューム吸着用粉末材に溶接ヒュームを吸着させ、溶接ヒュームを回収分離する方法よりなるものである。
また、請求項２の発明は、溶接ヒューム回収方法において、溶接装置から発生した溶接ヒュームを吸引し、容器内に取り込み、溶接ヒューム吸着用粉末材をノズル内部に接触させながら、溶接ヒューム吸着用粉末材を溶接ヒュームが充填している容器内に添加し、溶接ヒューム吸着用粉末材に溶接ヒュームを吸着させ、溶接ヒュームを回収分離する方法よりなるものである。
また、請求項３の発明は、溶接ヒューム回収方法において、溶接装置から発生した溶接ヒュームを吸引し、容器内に取り込み、発砲スチロール粉末をガラスパイプノズル内部に接触させながら、発砲スチロール粉末を溶接ヒュームが充填している容器内に添加し、発砲スチロール粉末に溶接ヒュームを吸着させ、溶接ヒュームを回収分離する方法よりなるものである。
また、請求項４の発明は、溶接ヒューム回収方法において、溶接装置から発生した溶接ヒュームを吸引し、容器内に取り込み、ナイロン粉末をガラスパイプノズル内部に接触させながら、ナイロン粉末を溶接ヒュームが充填している容器内に添加し、ナイロン粉末に溶接ヒュームを吸着させ、溶接ヒュームを回収分離する方法よりなるものである。
また、請求項５の発明は、溶接ヒューム回収方法において、溶接装置から発生した溶接ヒュームを吸引し、容器内に取り込み、コーヒー粉末をガラスパイプノズル内部に接触させながら、コーヒー粉末を溶接ヒュームが充填している容器内に添加し、コーヒー粉末に溶接ヒュームを吸着させ、溶接ヒュームを回収分離する方法よりなるものである。
また、請求項６の発明は、溶接ヒューム回収方法において、溶接装置から発生した溶接ヒュームを吸引し、容器内に取り込み、木粉をガラスパイプノズル内部に接触させながら、木粉を溶接ヒュームが充填している容器内に添加し、木粉に溶接ヒュームを吸着させ、溶接ヒュームを回収分離する方法よりなるものである。
また、請求項７の発明は、溶接ヒューム回収方法において、溶接装置から発生した溶接ヒュームを吸引し、容器内に取り込み、発砲スチロール粉末を塩化ビニルパイプノズル内部に接触させながら、発砲スチロール粉末を溶接ヒュームが充填している容器内に添加し、発砲スチロール粉末に溶接ヒュームを吸着させ、溶接ヒュームを回収分離する方法よりなるものである。
また、請求項８の発明は、溶接ヒューム回収方法において、溶接装置から発生した溶接ヒュームを吸引し、容器内に取り込み、ナイロン粉末を塩化ビニルパイプノズル内部に接触させながら、ナイロン粉末を溶接ヒュームが充填している容器内に添加し、ナイロン粉末に溶接ヒュームを吸着させ、溶接ヒュームを回収分離する方法よりなるものである。
また、請求項９の発明は、溶接ヒューム回収方法において、溶接装置から発生した溶接ヒュームを吸引し、容器内に取り込み、コーヒー粉末を塩化ビニルパイプノズル内部に接触させながら、コーヒー粉末を溶接ヒュームが充填している容器内に添加し、コーヒー粉末に溶接ヒュームを吸着させ、溶接ヒュームを回収分離する方法よりなるものである。
また、請求項１０の発明は、溶接ヒューム回収方法において、溶接装置から発生した溶接ヒュームを吸引し、容器内に取り込み、木粉を塩化ビニルパイプノズル内部に接触させながら、木粉を溶接ヒュームが充填している容器内に添加し、木粉に溶接ヒュームを吸着させ、溶接ヒュームを回収分離する方法よりなるものである。
また、請求項１１の発明は、溶接ヒューム回収方法において、溶接装置から発生した溶接ヒュームを吸引し、容器内に取り込み、発砲スチロール粉末をナイロンパイプノズル内部に接触させながら、発砲スチロール粉末を溶接ヒュームが充填している容器内に添加し、発砲スチロール粉末に溶接ヒュームを吸着させ、溶接ヒュームを回収分離する方法よりなるものである。
また、請求項１２の発明は、溶接ヒューム回収方法において、溶接装置から発生した溶接ヒュームを吸引し、容器内に取り込み、コーヒー粉末をナイロンパイプノズル内部に接触させながら、コーヒー粉末を溶接ヒュームが充填している容器内に添加し、コーヒー粉末に溶接ヒュームを吸着させ、溶接ヒュームを回収分離する方法よりなるものである。
また、請求項１３の発明は、溶接ヒューム回収方法において、溶接装置から発生した溶接ヒュームを吸引し、容器内に取り込み、木粉をナイロンパイプノズル内部に接触させながら、木粉を溶接ヒュームが充填している容器内に添加し、木粉に溶接ヒュームを吸着させ、溶接ヒュームを回収分離する方法よりなるものである。
また、請求項１４の発明は、溶接ヒューム回収方法において、溶接装置から発生した溶接ヒュームを吸引し、容器内に取り込み、発砲スチロール粉末をアクリル樹脂パイプノズル内部に接触させながら、発砲スチロール粉末を溶接ヒュームが充填している容器内に添加し、発砲スチロール粉末に溶接ヒュームを吸着させ、溶接ヒュームを回収分離する方法よりなるものである。
また、請求項１５の発明は、溶接ヒューム回収方法において、溶接装置から発生した溶接ヒュームを吸引し、容器内に取り込み、ナイロン粉末をアクリル樹脂パイプノズル内部に接触させながら、ナイロン粉末を溶接ヒュームが充填している容器内に添加し、ナイロン粉末に溶接ヒュームを吸着させ、溶接ヒュームを回収分離する方法よりなるものである。
また、請求項１６の発明は、溶接ヒューム回収方法において、溶接装置から発生した溶接ヒュームを吸引し、容器内に取り込み、コーヒー粉末をアクリル樹脂パイプノズル内部に接触させながら、コーヒー粉末を溶接ヒュームが充填している容器内に添加し、コーヒー粉末に溶接ヒュームを吸着させ、溶接ヒュームを回収分離する方法よりなるものである。
また、請求項１７の発明は、溶接ヒューム回収方法において、溶接装置から発生した溶接ヒュームを吸引し、容器内に取り込み、木粉をアクリル樹脂パイプノズル内部に接触させながら、木粉を溶接ヒュームが充填している容器内に添加し、木粉に溶接ヒュームを吸着させ、溶接ヒュームを回収分離する方法よりなるものである。
【発明の効果】
【００１１】
以上の記載より明らかなように、請求項１によれば、溶接ヒューム回収方法において、溶接装置から発生した溶接ヒュームを吸引し、容器内に取り込み、溶接ヒューム吸着用粉末材を溶接ヒュームが充填している容器内に添加し、溶接ヒューム吸着用粉末材に溶接ヒュームを吸着させ、溶接ヒュームを回収分離する方法によって、効率的に溶接ヒュームを回収することが可能である。
以上の記載より明らかなように、請求項２によれば、溶接ヒューム回収方法において、溶接装置から発生した溶接ヒュームを吸引し、容器内に取り込み、溶接ヒューム吸着用粉末材をノズル内部に接触させながら、溶接ヒューム吸着用粉末材を溶接ヒュームが充填している容器内に添加し、溶接ヒューム吸着用粉末材に溶接ヒュームを吸着させ、溶接ヒュームを回収分離する方法によって、効率的に溶接ヒュームを回収することが可能である。
以上の記載より明らかなように、請求項３によれば、溶接ヒューム回収方法において、溶接装置から発生した溶接ヒュームを吸引し、容器内に取り込み、発砲スチロール粉末をガラスパイプノズル内部に接触させながら、発砲スチロール粉末を溶接ヒュームが充填している容器内に添加し、発砲スチロール粉末に溶接ヒュームを吸着させ、溶接ヒュームを回収分離する方法によって、効率的に溶接ヒュームを回収することが可能である。
以上の記載より明らかなように、請求項４によれば、溶接ヒューム回収方法において、溶接装置から発生した溶接ヒュームを吸引し、容器内に取り込み、ナイロン粉末をガラスパイプノズル内部に接触させながら、ナイロン粉末を溶接ヒュームが充填している容器内に添加し、ナイロン粉末に溶接ヒュームを吸着させ、溶接ヒュームを回収分離する方法によって、効率的に溶接ヒュームを回収することが可能である。
以上の記載より明らかなように、請求項５によれば、溶接ヒューム回収方法において、溶接装置から発生した溶接ヒュームを吸引し、容器内に取り込み、コーヒー粉末をガラスパイプノズル内部に接触させながら、コーヒー粉末を溶接ヒュームが充填している容器内に添加し、コーヒー粉末に溶接ヒュームを吸着させ、溶接ヒュームを回収分離する方法によって、効率的に溶接ヒュームを回収することが可能である。
以上の記載より明らかなように、請求項６によれば、溶接ヒューム回収方法において、溶接装置から発生した溶接ヒュームを吸引し、容器内に取り込み、木粉をガラスパイプノズル内部に接触させながら、木粉を溶接ヒュームが充填している容器内に添加し、木粉に溶接ヒュームを吸着させ、溶接ヒュームを回収分離する方法によって、効率的に溶接ヒュームを回収することが可能である。
以上の記載より明らかなように、請求項７によれば、溶接ヒューム回収方法において、溶接装置から発生した溶接ヒュームを吸引し、容器内に取り込み、発砲スチロール粉末を塩化ビニルパイプノズル内部に接触させながら、発砲スチロール粉末を溶接ヒュームが充填している容器内に添加し、発砲スチロール粉末に溶接ヒュームを吸着させ、溶接ヒュームを回収分離する方法によって、効率的に溶接ヒュームを回収することが可能である。
以上の記載より明らかなように、請求項８によれば、溶接ヒューム回収方法において、溶接装置から発生した溶接ヒュームを吸引し、容器内に取り込み、ナイロン粉末を塩化ビニルパイプノズル内部に接触させながら、ナイロン粉末を溶接ヒュームが充填している容器内に添加し、ナイロン粉末に溶接ヒュームを吸着させ、溶接ヒュームを回収分離する方法によって、効率的に溶接ヒュームを回収することが可能である。
以上の記載より明らかなように、請求項９によれば、溶接ヒューム回収方法において、溶接装置から発生した溶接ヒュームを吸引し、容器内に取り込み、コーヒー粉末を塩化ビニルパイプノズル内部に接触させながら、コーヒー粉末を溶接ヒュームが充填している容器内に添加し、コーヒー粉末に溶接ヒュームを吸着させ、溶接ヒュームを回収分離する方法によって、効率的に溶接ヒュームを回収することが可能である。
以上の記載より明らかなように、請求項１０によれば、溶接ヒューム回収方法において、溶接装置から発生した溶接ヒュームを吸引し、容器内に取り込み、木粉を塩化ビニルパイプノズル内部に接触させながら、木粉を溶接ヒュームが充填している容器内に添加し、木粉に溶接ヒュームを吸着させ、溶接ヒュームを回収分離する方法によって、効率的に溶接ヒュームを回収することが可能である。
以上の記載より明らかなように、請求項１１によれば、溶接ヒューム回収方法において、溶接装置から発生した溶接ヒュームを吸引し、容器内に取り込み、発砲スチロール粉末をナイロンパイプノズル内部に接触させながら、発砲スチロール粉末を溶接ヒュームが充填している容器内に添加し、発砲スチロール粉末に溶接ヒュームを吸着させ、溶接ヒュームを回収分離する方法によって、効率的に溶接ヒュームを回収することが可能である。
以上の記載より明らかなように、請求項１２によれば、溶接ヒューム回収方法において、溶接装置から発生した溶接ヒュームを吸引し、容器内に取り込み、コーヒー粉末をナイロンパイプノズル内部に接触させながら、コーヒー粉末を溶接ヒュームが充填している容器内に添加し、コーヒー粉末に溶接ヒュームを吸着させ、溶接ヒュームを回収分離する方法によって、効率的に溶接ヒュームを回収することが可能である。
以上の記載より明らかなように、請求項１３によれば、溶接ヒューム回収方法において、溶接装置から発生した溶接ヒュームを吸引し、容器内に取り込み、木粉をナイロンパイプノズル内部に接触させながら、木粉を溶接ヒュームが充填している容器内に添加し、木粉に溶接ヒュームを吸着させ、溶接ヒュームを回収分離する方法によって、効率的に溶接ヒュームを回収することが可能である。
以上の記載より明らかなように、請求項１４によれば、溶接ヒューム回収方法において、溶接装置から発生した溶接ヒュームを吸引し、容器内に取り込み、発砲スチロール粉末をアクリル樹脂パイプノズル内部に接触させながら、発砲スチロール粉末を溶接ヒュームが充填している容器内に添加し、発砲スチロール粉末に溶接ヒュームを吸着させ、溶接ヒュームを回収分離する方法によって、効率的に溶接ヒュームを回収することが可能である。
以上の記載より明らかなように、請求項１５によれば、溶接ヒューム回収方法において、溶接装置から発生した溶接ヒュームを吸引し、容器内に取り込み、ナイロン粉末をアクリル樹脂パイプノズル内部に接触させながら、ナイロン粉末を溶接ヒュームが充填している容器内に添加し、ナイロン粉末に溶接ヒュームを吸着させ、溶接ヒュームを回収分離する方法によって、効率的に溶接ヒュームを回収することが可能である。
以上の記載より明らかなように、請求項１６によれば、溶接ヒューム回収方法において、溶接装置から発生した溶接ヒュームを吸引し、容器内に取り込み、コーヒー粉末をアクリル樹脂パイプノズル内部に接触させながら、コーヒー粉末を溶接ヒュームが充填している容器内に添加し、コーヒー粉末に溶接ヒュームを吸着させ、溶接ヒュームを回収分離する方法によって、効率的に溶接ヒュームを回収することが可能である。
以上の記載より明らかなように、請求項１７によれば、溶接ヒューム回収方法において、溶接装置から発生した溶接ヒュームを吸引し、容器内に取り込み、木粉をアクリル樹脂パイプノズル内部に接触させながら、木粉を溶接ヒュームが充填している容器内に添加し、木粉に溶接ヒュームを吸着させ、溶接ヒュームを回収分離する方法によって、効率的に溶接ヒュームを回収することが可能である。
【発明を実施するための最良の形態】
【００１２】
以下、この発明をより具体的に説明する。
【００１３】
ここで、図１は、溶接ヒューム吸着用粉末材を添加する溶接ヒューム回収方法の概略図である。
【００１４】
図１において、掃除機に接続した塩化ビニルパイプ３から吸引することによって、溶接装置から発生した溶接ヒューム５をシリコンホース６を経由して、アクリル樹脂製容器内４に取り込み、所定量の溶接ヒューム吸着用粉末材２をポリエチレンロート１から溶接ヒューム５が充填しているアクリル樹脂製容器内４に添加し、溶接ヒューム吸着用粉末材２に溶接ヒューム５を吸着させ、遠心分離式の掃除機で回収分離後の排気中に残存する溶接ヒューム５を掃除機内のフィルタで捕捉し、その重量を測定してヒュームの回収率を調べた。
【００１５】
評価について、×（不合格）は、溶接ヒューム回収率５０％より小さい場合、○（合格）は、回収率が５０％以上の場合である。
【００１６】
ポリエチレンロート１は、口径120mm×足外径15mm×足長100mmのロートである。
【００１７】
溶接ヒューム吸着用粉末材２は、ポリエチレンロート１を通して、溶接ヒューム５が吸引されているアクリル樹脂製容器４に添加される。
【００１８】
塩化ビニルパイプ３は、外径41mmＸ内径37.5mmＸ長さ700mmで、遠心分離式の掃除機に接続し、溶接ヒューム５を吸引する。
【００１９】
アクリル樹脂製容器４は、外径300mmＸ内径290mmＸ長さ1000mmの形状のアクリル樹脂製容器であり、溶接ヒューム５を取り込み、溶接ヒューム５を添加した溶接ヒューム吸着用粉末材２に吸着させる容器である。
【００２０】
溶接ヒューム５は、溶接装置から発生させ、シリコンホース６からアクリル樹脂製容器４を通り、遠心分離式の掃除機に吸引される。
【００２１】
シリコンホース６は、外径37mmＸ内径25.4mmＸ長さ10mで溶接装置に接続している。
【００２２】
図２は、溶接ヒューム吸着用粉末材、ノズルの組み合わせによる溶接ヒューム回収方法の概略図である。
【００２３】
図２において、掃除機に接続した塩化ビニルパイプ３から吸引することによって、溶接装置から発生した溶接ヒューム５をシリコンホース６を経由して、アクリル樹脂製容器内４に取り込み、所定量の溶接ヒューム吸着用粉末材２をノズル１の内部に接触させながら、溶接ヒューム吸着用粉末材２を溶接ヒューム５が充填しているアクリル樹脂製容器内４に添加し、溶接ヒューム吸着用粉末材２に溶接ヒューム５を吸着させ、遠心分離式の掃除機で回収分離後の排気中に残存する溶接ヒューム５を掃除機内のフィルタで捕捉し、その重量を測定してヒュームの回収率を調べた。
【００２４】
評価について、溶接ヒューム回収率７０％より小さい場合は不合格、回収率が７０％以上の場合は合格とした。
【００２５】
ノズル１は、ガラスパイプ（外径14mmＸ内径11.6mmＸ長さ1000mm）、塩化ビニルパイプ（外径13mmＸ内径9mmＸ長さ1000mm）、ナイロンパイプ（外径30mmＸ内径15mmＸ長さ350mm）、アクリル樹脂パイプ （外径26mmＸ内径20mmＸ長さ1000mm）である。
【００２６】
溶接ヒューム吸着用粉末材２は、ノズル１を通して、溶接ヒューム５が吸引されているアクリル樹脂製容器４に添加される。
【００２７】
塩化ビニルパイプ３は、外径41mmＸ内径37.5mmＸ長さ700mmで、遠心分離式の掃除機に接続し、溶接ヒューム５を吸引する。
【００２８】
アクリル樹脂製容器４は、外径300mmＸ内径290mmＸ長さ1000mmの形状のアクリル樹脂製容器であり、溶接ヒューム５を取り込み、溶接ヒューム５を添加した溶接ヒューム吸着用粉末材２に吸着させる容器である。
【００２９】
溶接ヒューム５は、溶接装置から発生した溶接ヒューム５をシリコンホース６からアクリル樹脂製容器４を通り、遠心分離式の掃除機に吸引される。
【００３０】
シリコンホース６は、外径37mmＸ内径25.4mmＸ長さ10mで溶接装置に接続している。
【実施例】
【００３１】
図１より、ポリエチレンロートに設置して、ポリエチレンロートから所定の溶接ヒューム吸着用粉末材を溶接ヒュームが充填しているアクリル樹脂製容器内に添加し、溶接ヒューム吸着用溶接ヒューム吸着用粉末材材に溶接ヒュームを吸着させ、遠心分離式の掃除機で溶接ヒュームを吸引し、掃除機で回収分離後の排気中に残存する溶接ヒュームが吸着した掃除機内のフィルタ（脱脂綿）を溶接実験前後の重量差を測定し、溶接ヒュームの吸着量を求めた。溶接時間は１分間である。溶接ヒューム吸着用粉末材を添加しない場合における掃除機内のフィルタの溶接ヒューム吸着量と溶接ヒューム吸着用粉末材を添加した場合における上記の溶接ヒューム吸着量を比較して、回収率を調べた。
【００３２】
添加した溶接ヒューム吸着用粉末材は、発泡スチロール粉末（粒子径約2mm）、塩化ビニル粉末（粒子径約0.1mm）、フッ素樹脂粉（粒子径約2μm）、木粉（粒子径約0.5mm〜1mm）、デンプン粉末 （粒子径約 0.1mm）、寒天粉末（粒子径約0.1mm）、コーヒー粉末（粒子径約0.1mm）、ヒドロキシステアリン酸（植物油脂）粉末（粒子径約1mm〜2mm）、ヒドロキシエチルセルロース粉末（粒子径約0.1mm）、カルボキシメチルセルロース粉末（粒子径約0.1mm）、ナイロン粉末（粒子径約3mm〜5mm）ガラスビーズ粉末（粒子径約0.1mm）である。  試験の結果は、表１に示す。良好な（回収率が５０％以上）結果を得た粉末材は、発泡スチロール粉末、塩化ビニル粉末、フッ素樹脂粉末、木粉、デンプン粉末、寒天粉末、コーヒー粉末、ヒドロキシステアリン酸（植物油脂）粉末、ヒドロキシエチルセルロース粉末、カルボキシメチルセルロース粉末、ナイロン粉末である。ガラスビーズ粉末は良好な結果を得ることができなかった。
【００３３】
図２より、所定のノズルを設置して、所定のノズル内部に所定の溶接ヒューム吸着用粉末材を接触させながら、溶接ヒューム吸着用粉末材を溶接ヒュームが充填しているアクリル樹脂製容器内に添加し、溶接ヒューム吸着用粉末材に溶接ヒュームを吸着させ、遠心分離式の掃除機で溶接ヒュームを吸引し、掃除機で回収分離後の排気中に残存する溶接ヒュームが吸着した掃除機内のフィルタ（脱脂綿）を溶接実験前後の重量差を測定し、溶接ヒュームの吸着量を求めた。溶接ヒューム吸着用粉末材はできるだけ、ノズルに接触させながら添加を行った。溶接時間は１分間である。溶接ヒューム吸着用粉末材を添加しない場合における掃除機内のフィルタの溶接ヒューム吸着量と溶接ヒューム吸着用粉末材を添加した場合における上記の溶接ヒューム吸着量を比較して、回収率を調べた。
【００３４】
なお、添加した溶接ヒューム吸着用粉末材は、発泡スチロール粉末（粒子径約2mm）、ナイロン粉（粒子径約3mm〜5mm）、コーヒー粉（粒子径約0.1mm）、木粉（粒子径約0.5mm〜1mm）である。
【００３５】
ノズルの材質は、ガラスパイプ（外径14mmＸ内径11.6mmＸ長さ1000mm）、塩化ビニルパイプ（外径13mmＸ内径9mmＸ長さ1000mm）、ナイロン（ナイロンモノマー）パイプ（外径30mmＸ内径15mmＸ長さ350mm）、アクリル樹脂パイプ （外径26mmＸ内径20mmＸ長さ1000mm）である。表２は、回収率が７０％以上の合格した試験結果を示す。表中の○印は、回収率が７０％以上の場合を示す。
【００３６】
なお、この発明は上記発明を実施するための最良の形態に限定されるものでなく、この発明の精神を逸脱しない範囲で種々の改変をなし得ることは勿論である。
【図面の簡単な説明】
【００３７】
【図１】この発明を実施するための最良の形態を示す溶接ヒューム吸着用粉末材を添加する溶接ヒューム回収装置の模式図である。
【図２】この発明を実施するための最良の形態を示す溶接ヒューム吸着用粉末材とノズルを組み合わせた溶接ヒューム回収装置の模式図である。
【図３】表１は、溶接ヒューム吸着用粉末材を添加による溶接ヒューム回収試験の結果である。
【図４】表２は、溶接ヒューム吸着用粉末材、ノズルの組み合わせによる溶接ヒューム回収試験の結果である。
【符号の説明】
【００３８】
１  ポリエチレンロート（ノズル）
２  溶接ヒューム吸着用粉末材
３  塩化ビニルパイプ（掃除機に接続）
４  アクリル樹脂製容器
５  溶接ヒューム
６  シリコンホース（溶接装置に接続）
【図１】
2008302411.tif 000003
【図２】
2008302411.tif 000004
【図３】
2008302411.tif 000005
【図４】
2008302411.tif 000006